(57)【要約】【課題】  ウェブブラウザを組み込んだ画像形成装置の定時プリントや定時ブラウズ表示におけるプライバシーの保護やセキュリティの確保。【解決手段】  複合機１００はタイマーで設定された時刻にウェブサーバ２００からコンテンツデータを取得し、キャッシュ１４０に保持しておく。入力部１６０から入力されたパスワードが予め登録してあるパスワードと一致したら、キャッシュ１４０に保持したコンテンツデータを表示、あるいはプリントする。【選択図】  図１
2006146315.tif 000002
【特許請求の範囲】
【請求項１】
ネットワーク接続部、ウェブブラウザ表示手段、コンテンツデータ保存手段、コントローラ、タイマ手段、キー入力部、表示部からなる画像形成装置において、
前記タイマ手段で指定された時刻に前記ネットワーク接続部を介して接続されたウェブサーバに対してアクセスをして、前記ウェブサーバが保持するコンテンツデータを取得しコンテンツデータ保存手段に一旦保存し、
前記コントローラは該保存したコンテンツデータを前記ウェブブラウザ表示手段に表示させるためのパスワードの入力に基づいて、該入力したパスワードと予め登録しておいたパスワードが一致した場合、前記保存したコンテンツをウェブブラウザ表示手段に表示させるよう制御することを特徴とする画像形成装置。
【請求項２】
ネットワーク接続部、コンテンツデータ保存手段、コントローラ、タイマ手段、キー入力部、表示部、プリント手段からなる画像形成装置において、
前記タイマ手段で指定した時刻に前記ネットワークを介して接続されたウェブサーバから取得したコンテンツデータをプリントするように設定し、
前記コントローラはウェブサーバから取得したコンテンツデータを前記指定時刻にプリントせず、そのコンテンツデータをプリントするために入力されたパスワードに基づいて、該入力したパスワードと予め登録しておいたパスワードが一致した場合、前記保存したコンテンツをプリント手段でプリントさせるよう制御することを特徴とする画像形成装置。
【発明の詳細な説明】
【技術分野】
【０００１】
ウェブブラウザを内蔵し操作部の表示部にウェブブラウザを表示することができる画像形成複合機に関する技術である。
【背景技術】
【０００２】
近年、複写機などの画像形成装置にＷＷＷ（Ｗｏｒｌｄ  Ｗｉｄｅ  Ｗｅｂ）サーバのコンテンツを表示するウェブブラウザを組み込み、画像形成装置の表示部にウェブコンテンツを表示したり、表示したウェブコンテンツを印刷することが行なわれるようになってきた（例えば、特許文献１を参照）。
【０００３】
しかし、機器に組み込まれたウェブブラウザと言っても、複合機の他の機能とは独立してコンテンツの表示を操作部に表示を行うことや、表示されたデータのプリントを行うだけであった。
【０００４】
指定したウェブサーバの閲覧やデータのプリントを行う場合、時間帯によってはそのサーバへのアクセスが集中して表示やプリントが非常に遅くなる場合があった。
【０００５】
そのような時、指定時刻プリント、指定時刻保存などの機能を使って、早朝などサーバへの負荷が高くない時間帯に、自動的にそのサーバのコンテンツをプリントしたり、保存したりすることができた。
【特許文献１】特開２００３−１２２２７９号公報
【発明の開示】
【発明が解決しようとする課題】
【０００６】
しかし、複合機などの不特定多数のユーザが使用するマシンでは、保存しておいたコンテンツやプリントアウトした内容を無関係の第三者に見られてしまう恐れがあった。
【０００７】
本発明は、ウェブコンテンツを表示したりプリントする際に第三者にその内容を見られることのない画像形成装置を提供することを目的とする。
【課題を解決するための手段】
【０００８】
かかる目的を達成するために、本発明は、ネットワーク接続部、ウェブブラウザ表示手段、コンテンツデータ保存手段、コントローラ、タイマ手段、キー入力部、表示部からなる画像形成装置において、前記タイマ手段で指定された時刻に前記ネットワーク接続部を介して接続されたウェブサーバに対してアクセスをして、前記ウェブサーバが保持するコンテンツデータを取得しコンテンツデータ保存手段に一旦保存し、前記コントローラは該保存したコンテンツデータを前記ウェブブラウザ表示手段に表示させるためのパスワードの入力に基づいて、該入力したパスワードと予め登録しておいたパスワードが一致した場合、前記保存したコンテンツをウェブブラウザ表示手段に表示させるよう制御することを特徴とする。
【０００９】
本発明は、ネットワーク接続部、コンテンツデータ保存手段、コントローラ、タイマ手段、キー入力部、表示部、プリント手段からなる画像形成装置において、前記タイマ手段で指定した時刻に前記ネットワークを介して接続されたウェブサーバから取得したコンテンツデータをプリントするように設定し、前記コントローラはウェブサーバから取得したコンテンツデータを前記指定時刻にプリントせず、そのコンテンツデータをプリントするために入力されたパスワードに基づいて、該入力したパスワードと予め登録しておいたパスワードが一致した場合、前記保存したコンテンツをプリント手段でプリントさせるよう制御することを特徴とする。
【発明の効果】
【００１０】
本発明によれば、複合機などの不特定多数のユーザが使用するマシンの、指定時刻プリントや指定時刻保存などにおいて、第三者に見られることがなくなるので、ユーザのプライバシーやセキュリティを考慮したプリントや閲覧が可能になる。
【発明を実施するための最良の形態】
【００１１】
以下、本発明を適用した好適な実施形態を、添付図面を参照しながら詳細に説明する。
【００１２】
図１は本発明の概要を示す第１のブロック図である。
【００１３】
複合機１００、ウェブサーバ２００、ネットワーク３００からなる。
【００１４】
複合機１００は第１のネットワーク接続部１１０、ウェブブラウザ表示手段１２０、コンテンツ保存のためのキャッシュ１４０、表示部１３０、複合機コントローラ１５０、キー入力部１６０、スキャナ１７０、プリンタ１８０、プリントデータを一時保存するスプーラ１８５、時刻を通知するタイマ１９０からなる。
【００１５】
第１のネットワーク接続部１１０は、ネットワーク３００に接続し、複合機１００とネットワーク３００の間の情報のやり取りを行っている。
【００１６】
ウェブブラウザ表示手段１２０は、ネットワーク３００からの情報を、表示部１３０に表示する。表示部１３０は、ウェブブラウザ１２０からの情報を表示したり、複合機コントローラ１５０の情報を表示したりする。ウェブブラウザ１２０は、ネットワークを介してウェブサーバのコンテンツを画像にして表示する部分である。表示部１３０はウェブブラウザ１２０の表示をおこなったり、複合機コントローラ１５０からの表示を行ったりする。
【００１７】
キャッシュ１４０はウェブブラウザ１２０が一旦収集したデータを一時的に保存しておくデータベースである。
【００１８】
複合機コントローラ１５０は、複合機１００の全体の動作を制御しており、キー入力部１６０からの入力によって、複合機１００の設定をしたり動作を開始したり、表示部１３０に複合機の表示データを送って表示させたり、スキャナ１７０からのスキャン情報を受け取ったり、プリンタ１８０にプリントデータを送ったりする。
【００１９】
キー入力部１６０は、ユーザからのデータの入力を受け取るところで、テンキー、タッチパネルなどで構成されている。
【００２０】
スキャナ１７０は、画像を走査して画像入力データを作るところである。
【００２１】
プリンタ１８０は、画像出力データを出力紙にプリントするところである。
【００２２】
一方、ウェブサーバ２００は、第２のネットワーク接続部２１０、サーバコントローラ２２０、コンテンツデータベース２３０、からなる。
【００２３】
第２のネットワーク接続部２１０は、ネットワーク３００と接続し、ネットワークを介してデータベースサーバ２００のデータのやりとりをするところである。
【００２４】
サーバコントローラ２２０は、ネットワーク接続部２１０経由で受け取ったデータを解析して動作を決定するところである。また、サーバコントローラ２２０はコンテンツデータベース２３０にアクセスしてデータを取り出し、ネットワーク接続部２１０を経由してデータを送り出すところである。
【００２５】
コンテンツデータベース２３０は、ウェブブラウザで表示されるコンテンツが格納されているところであり要求されたデータを参照するとウェブブラウザで表示できる。
【００２６】
図２はエンジンの一実施形態であるリーダ部１０００及びプリンタ部２０００の断面図である。
【００２７】
リーダ部１０００の原稿給送装置１１０１は原稿を最終頁から順に１枚ずつプラテンガラス１１０２上へ給送し、原稿の読み取り動作終了後、プラテンガラス１１０２上の原稿を排出するものである。
【００２８】
原稿がプラテンガラス１１０２上を搬送されると、ランプ１１０３を点燈し、そしてスキャナユニット１１０４の移動を開始させて、原稿を露光走査する。このときの原稿からの反射光は、ミラー１１０５、１１０６、１１０７、１１０８によってＣＣＤイメージセンサ１１０９へ導かれる。このように走査された原稿の画像はＣＣＤ１１０９によって読み取られるＣＣＤ１１０９から出力される画像データは、所定の処理が施された後、プリンタ部２０００および画像入出力制御部のコア部へ転送される。
【００２９】
プリンタ部２０００にはレーザ発光部２２０１を駆動するためのレーザドライバがあって、リーダ部１０００から出力された画像データに応じてレーザ発光部２２０１を駆動し発光させる。
【００３０】
またプリンタ制御部２２３０は外部とネットワークで接続され、入力された画像データを処理し、画像データに応じてレーザ発光部２２０１を駆動し発光させる。
【００３１】
このレーザ光は回転多面鏡で掃引された後、感光ドラム２２０２に照射され、感光ドラム２２０２上にレーザ光の露光に応じた潜像を形成させる。この感光ドラム２２０２の潜像の部分には現像器２２０３によって現像剤が付着される。そして、レーザ光の照射開始と同期したタイミングで、カセット２２０４およびカセット２２０５のいずれかから記録紙を給紙して転写部２２０６へ搬送し、感光ドラム２２０２に付着された現像剤を記録紙に転写する。
【００３２】
現像剤が転写された記録紙は定着部２２０７に搬送され、定着部２２０７の熱と圧力により現像剤は記録紙に定着される。
【００３３】
定着部２２０７を通過した記録紙は排出ローラ２２０８によって排出され、ソータ２２２０は排出された記録紙をそれぞれのビンに収納して記録紙の仕分けを行う。
【００３４】
ソータ２２２０の最上ビンはサンプルトレイ２４００である。その他に、大量の出力を積載できるトレイ２５００がある。
【００３５】
サンプルトレイ２４００とトレイ２５００のいずれかに排出するかは、フラッパ２６００により切り替えられる。
【００３６】
また、両面記録が設定されている場合は、排出ローラ２２０８の回転方向を逆転させ、フラッパ２２０９によって再給紙搬送路へ導く。
【００３７】
多重記録が設定されている場合は、記録紙を排出ローラ２２０８まで搬送しないようにフラッパ２２０９によって再給紙搬送路へ導く。
【００３８】
再給紙搬送路へ導かれた記録紙は上述したタイミングで転写部２２０６へ給紙される。
【００３９】
図３は実施例の実施手順を示すフローチャートである。
【００４０】
まずステップ３０００からスタートする。ステップ３０１０において、タイマで指示された時刻にブラウズ表示をする定時ブラウズ設定を行う。
【００４１】
ステップ３０２０において、パスワードの入力をしておく。
【００４２】
ステップ３０３０において、ステップ３０１０で設定した設定時刻になったかどうかをチェックする。まだ設定時刻になっていない場合は、ステップ３０１０に戻りチェックを続ける。設定時刻になっている場合、ステップ３０４０に進む。
【００４３】
ステップ３０４０では、ネットワークを介してコンテンツデータベースからコンテンツを取得する。
【００４４】
次にステップ３０５０では取得したコンテンツをキャッシュ１４０に一旦保存する。
【００４５】
次にステップ３０６０で操作部に取得したコンテンツをウェブブラウザで表示するかどうかを判定する。表示する場合、ステップ３０７０において入力部１６０からのパスワードの入力を待つ。
【００４６】
次にステップ３０８０で、ステップ３０２０で入力された設定時のパスワードとステップ３０７０で入力されたパスワードが一致するかを判定する。一致しない場合は、ステップ３０７０に戻り、一致するまでチェックを続ける。
【００４７】
一致した場合は、ステップ３０９０において、一時保存しておいたコンテンツを取得してそうサブ画面にウェブブラウザで表示する。最後にステップ３９９９で処理を終了する。
【００４８】
図４は実施例のブラウザ画面表示手順を示すフローチャートである。
【００４９】
まずステップ４０００からスタートする。ステップ４０１０において、タイマで指示された時刻にブラウズ表示をプリントアウトする定時プリントアウト設定を行う。
【００５０】
ステップ４０２０において、パスワードの入力をしておく。
【００５１】
ステップ４０３０において、ステップ４０１０で設定した設定時刻になったかどうかをチェックする。まだ設定時刻になっていない場合は、ステップ４０１０に戻りチェックを続ける。設定時刻になっている場合、ステップ４０４０に進む。
【００５２】
ステップ４０４０では、ネットワークを介してコンテンツデータベースからコンテンツを取得する。
【００５３】
次にステップ４０５０では取得したコンテンツをプリント用に展開し、スプーラに一旦保存する。
【００５４】
次にステップ４０６０で操作部に取得したコンテンツをプリントアウトするかどうかを判定する。表示する場合、ステップ４０７０において入力部１６０からのパスワードの入力を待つ。
【００５５】
次にステップ４０８０で、ステップ４０２０で入力された設定時のパスワードとステップ４０７０で入力されたパスワードが一致するかを判定する。一致しない場合は、ステップ４０７０に戻り、一致するまでチェックを続ける。
【００５６】
一致した場合は、ステップ４０９０において、一時保存しておいたスプールデータをプリントアウトする。最後にステップ４９９９で処理を終了する。
【００５７】
以上のように、本発明の実施形態のよれば、定時ブラウズ表示、或いは定時プリントアウトの設定がなされていても、パスワードの入力が無ければウェブコンテンツの表示或いはプリントアウトをしないので第三者に内容を見られることなくウェブコンテンツを取得することができる。
【図面の簡単な説明】
【００５８】
【図１】本発明の実施形態の概要を示すブロック図である。
【図２】リーダ部とプリンタ部の断面図である。
【図３】定時ブラウズ表示の実施手順を示すフローチャートである。
【図４】定時プリントの実施手順を示すフローチャートである。
【符号の説明】
【００５９】
１００  複合機
１１０  ネットワーク接続部
１２０  ウェブブラウザ
１３０  表示部
１４０  キャッシュ
１５０  コントローラ
１６０  キー入力部
１７０  スキャナ
１８０  プリンタ
１８５  スプーラ
１９０  タイマ
２００  データベースサーバ
２１０  ネットワーク接続部
２２０  サーバコントローラ
２３０  コンテンツデータベース
３００  ネットワーク
【図１】
2006146315.tif 000003
【図２】
2006146315.tif 000004
【図３】
2006146315.tif 000005
【図４】
2006146315.tif 000006